(57)【要約】【課題】針金等による扉錠の不正解錠を防止するとともに、施錠操作や解錠操作の操作性を向上した不正解錠防止装置を提供する。【解決手段】不正解錠防止装置１は、つまみ１０１上に被さるようにつまみ１０１に一体固定される内筒２と、内筒２上に回動自由かつ長さ方向へ往復動自由に被せられるカバー３とを有する。カバー３の内面には、外周面沿いに凹凸が等配列された第１の噛合部７が突設され、内筒２の前面２Ｂには、内周面沿いにカバー３の往復動により前記凹凸と係脱する凹凸が等配列された第２の噛合部８が凹設されている。カバー３と内筒２との間には、第１の噛合部７の凹凸と第２の噛合部８の凹凸との係合が外れる方向へカバー３を付勢するコイルバネ４が設けられている。【選択図】図２
2008007963.tif 000002
【特許請求の範囲】
【請求項１】
室内側でのつまみの回動操作によって解錠と施錠とが可能な扉用錠に装着される不正解錠防止装置であって、
前記つまみ上に被さるようにつまみに一体固定される内筒と、前記内筒上に回動自由かつ長さ方向へ往復動自由に被せられるカバーとを有し、前記内筒とカバーとの対向位置の一方に、外周面沿いに凹凸が等配列された第１の噛合部が突設され、他方に、内周面沿いにカバーの往復動により前記凹凸と係脱する凹凸が等配列された第２の噛合部が凹設されており、
前記カバーと内筒との間には、第１の噛合部の凹凸と第２の噛合部の凹凸との係合が外れる方向へカバーを付勢するばねが設けられて成る不正解錠防止装置。
【請求項２】
室内側でのつまみの回動操作によって解錠と施錠とが可能な扉用錠に装着される不正解錠防止装置であって、
前記つまみ上に被さるようにつまみに一体固定される内筒と、前記内筒上に回動自由に被せられるカバーと、カバーを長さ方向に貫通する孔に往復動自由に支持される押釦とを有し、前記内筒と押釦との対向位置の一方に、外周面沿いに凹凸が等配列された第１の噛合部が突設され、他方に、内周面沿いに押釦の往復動により前記凹凸と係脱する凹凸が等配列された第２の噛合部が凹設されており、
前記押釦と内筒との間には、第１の噛合部の凹凸と第２の噛合部の凹凸との係合が外れる方向へ押釦を付勢するばねが設けられて成る不正解錠防止装置。
【発明の詳細な説明】
【技術分野】
【０００１】
この発明は、室内からのつまみの回動操作によって扉を施錠および解錠することが可能な扉用錠に取り付けられる不正解錠防止装置に関する。
【背景技術】
【０００２】
従来、扉に設けられる扉用錠は、室外側からはシリンダーの鍵穴に鍵を挿入して鍵を回動させることにより、また、室内側からはつまみを回動させることにより、施錠および解錠される。すなわち、室外側からは鍵による操作が必要になる一方、室内側からはつまみの回動操作のみで施錠および解錠が簡便に行えるようになっている。
【０００３】
近年、ポスト口や、ドリル等の機械工具によって開けた小さな穴へ室外から棒や針金などを挿入し、その先端部を回動操作の容易なつまみに係止させた後、つまみを解錠方向に回動させることにより、扉用錠を解錠する不正解錠が行われている。このような不正解錠を防止するものとして、例えば特許文献１に開示される扉錠用防犯具が提案されている。
【０００４】
【特許文献１】特開２００３−３１４０９７号公報
【０００５】
この扉錠用防犯具は、外周面に複数の係止溝が設けられた固定部材がつまみに取り付けられ、内周面に１つの係止ピンを有するカバーが、ばねを介して前記固定部材に回動自在かつ回動中心線に沿って摺動自在に被せられたものである。この扉錠用防止具では、通常時はカバーが固定部材に対して空回りするため、つまみの回動が不可能となるが、カバーを手前に引っ張ると、係止ピンが係止溝に係止して、カバーとともに固定部材が回動するため、つまみの回動が可能となる。
【発明の開示】
【発明が解決しようとする課題】
【０００６】
しかしながら、上記した構成の扉錠用防犯具は、カバーをつまみから離れるように手前に引っ張ることにより、係止ピンを係止溝に係止させる構成であるため、施錠および解錠操作時においてカバーや固定部材が外れてしまうおそれがある。また、１つの係止ピンを係止溝に係止させてカバーと固定部材とを一体に回動させる構成であるため、係止ピンの強度に問題があるとともに、カバーと固定部材との係合が弱く、回動動作の安定性にも欠けるという問題がある。
【０００７】
この発明は、上記問題に着目してなされたものであって、針金等による扉用錠の不正解錠を防止するとともに、施錠操作や解錠操作の操作性を向上した不正解錠防止装置を提供することを目的とする。
【課題を解決するための手段】
【０００８】
この発明による不正解錠防止装置は、室内側でのつまみの回動操作によって解錠と施錠とが可能な扉用錠に装着されるものであり、前記つまみ上に被さるようにつまみに一体固定される内筒と、前記内筒上に回動自由かつ長さ方向へ往復動自由に被せられるカバーとを有する。前記内筒とカバーとの対向位置の一方には、外周面沿いに凹凸が等配列された第１の噛合部が突設され、他方には、内周面沿いにカバーの往復動により前記凹凸と係脱する凹凸が等配列された第２の噛合部が凹設されている。前記カバーと内筒との間には、第１の噛合部の凹凸と第２の噛合部の凹凸との係合が外れる方向へカバーを付勢するばねが設けられている。
【０００９】
この発明の上記した構成において、第１の噛合部は内筒またはカバーのどちらに設けてもよい。第１の噛合部をカバーに設ける場合は、内筒のこれと対向する位置に第２の噛合部を設ける。第１の噛合部を内筒に設ける場合は、カバーのこれと対向する位置に第２の噛合部を設ける。
【００１０】
上記した構成の不正解錠防止装置によれば、扉用錠のつまみがカバーによって覆われているので、つまみに針金などを引っ掛けることができない。また、通常時は、ばねの付勢力により前記第１の噛合部の凹凸と第２の噛合部の凹凸とが係合しないようにしてあるので、室外からカバーに針金などを引っ掛けてつまみを回動しようとしても、カバーは内筒に対して空回りし、つまみにはカバーの回動は作用しないため、室外からの不正な解錠操作が防止される。
【００１１】
ばねの付勢力に抗してカバーを内筒に向かって押し込むと、第１の噛合部の凹凸と第２の噛合部の凹凸とが係合する。この状態で、カバーを施錠または解錠方向に回動させると、カバーと内筒とが一体に回動するので、内筒とともにつまみが施錠または解錠方向に回動し、扉用錠が施錠および解錠される。このように、カバーを内筒に向かって押し込むことにより扉用錠の施錠操作や解錠操作が行われるので、カバーや内筒が外れるおそれがない。しかも、第１の噛合部の外周面に複数形成された凹凸と第２の噛合部の内周面に複数形成された凹凸とを係合させてカバーと内筒とを一体に回動させるため、カバーと内筒との係合が強く、回動動作の安定性が向上する。
【００１２】
この発明による他の不正解錠防止装置は、室内側でのつまみの回動操作によって解錠と施錠とが可能な扉用錠に装着されるものであり、前記つまみ上に被さるようにつまみに一体固定される内筒と、前記内筒上に回動自由に被せられるカバーと、カバーを長さ方向に貫通する孔に往復動自由に支持される押釦とを有する。前記内筒と押釦との対向位置の一方には、外周面沿いに凹凸が等配列された第１の噛合部が突設され、他方には、内周面沿いに押釦の往復動により前記凹凸と係脱する凹凸が等配列された第２の噛合部が凹設されている。前記押釦と内筒との間には、第１の噛合部の凹凸と第２の噛合部の凹凸との係合が外れる方向へ押釦を付勢するばねが設けられている。
【００１３】
この発明の上記した構成において、第１の噛合部は内筒または押釦のどちらに設けてもよい。第１の噛合部を押釦に設ける場合は、内筒のこれと対向する位置に第２の噛合部を設ける。第１の噛合部を内筒に設ける場合は、押釦のこれと対向する位置に第２の噛合部を設ける。
【００１４】
上記した構成の不正解錠防止装置によれば、扉用錠のつまみがカバーによって覆われているので、つまみに針金などを引っ掛けることができない。また、通常時は、ばねの付勢力により前記第１の噛合部の凹凸と第２の噛合部の凹凸とが係合しないようにしてあるので、室外からカバーに針金などを引っ掛けてつまみを回動しようとしても、カバーは内筒に対して空回りし、つまみにはカバーの回動は作用しないため、室外からの不正な解錠操作が防止される。
【００１５】
ばねの付勢力に抗して押釦を内筒に向かって押し込むと、第１の噛合部の凹凸と第２の噛合部の凹凸とが係合する。この状態で、カバーを施錠または解錠方向に回動させると、カバーと内筒とが一体に回動するので、内筒とともにつまみが施錠または解錠方向に回動し、扉用錠が解錠および施錠される。このように、カバーを内筒に対して往復動させることなく扉用錠の施錠操作や解錠操作が行われるので、カバーや内筒が外れるおそれがない。しかも、第１の噛合部の外周面に複数形成された凹凸と第２の噛合部の内周面に複数形成された凹凸とを係合させてカバーと内筒とを一体に回動させるため、カバーと内筒との係合が強く、回動動作の安定性が向上する。
【００１６】
さらに、カバーに配設された押釦の押し込み操作により第１の噛合部と第２の噛合部とを係合させる構成であるので、室外側からの押釦の押し込み操作は容易でないことから、不正な解錠操作は一層難しくなる。
【発明の効果】
【００１７】
この発明によると、解錠操作や施錠操作に際して、カバーや内筒が外れるおそれのないようにするとともに、カバーと内筒とを強固に係合させた状態でカバーと内筒とを一体に回動させるようにしたから、解錠操作や施錠操作における操作性が向上する。
【発明を実施するための最良の形態】
【００１８】
図１は、この発明の一実施例である不正解錠防止装置１の構成を示している。また、図２および図３は、不正解錠防止装置１の内部構造を示している。この不正解錠防止装置１は、室内側でのつまみ１０１の回動操作によって解錠と施錠とが可能な扉用錠１００に取り付けられるものである。
【００１９】
図示例の不正解錠防止装置１は、つまみ１０１上に被さるようにつまみ１０１に一体固定される内筒２と、内筒２上に回動自由かつ長さ方向へ往復動自由に被せられる筒状のカバー３とから成る。内筒２とカバー３の内面との間にはコイルバネ４が設けられている。なお、図中５は、内筒２をつまみ１０１に固定するためのボルトである。
【００２０】
前記コイルバネ４は、後述する第１の噛合部７および第２の噛合部８の外径よりも大きく内筒２の外径よりも小さい圧縮型のバネである。このコイルバネ４は、第１の噛合部７の凹凸と第２の噛合部８の凹凸との係合が外れる方向（内筒２から離れる方向）にカバー３を付勢しており、カバー３は、コイルバネ４の付勢力に抗して内筒２に向かって押し込み操作が可能であるように構成されている。
【００２１】
前記内筒２は、図４〜図８に示すように、円筒形状であり、例えば合成樹脂により形成される。内筒２の底面２Ａには、扉用錠１００のつまみ１０１の外形に適合する形状および大きさのつまみ挿入溝２０が径に沿って形成されている。このつまみ挿入溝２０にはつまみ１０１が挿入される。また、内筒２の外周面はその一部が切り欠かれており、径方向に前記つまみ挿入溝２０に通じるボルト挿入孔２１が形成されている。このボルト挿入孔２１にはボルト５が挿入される。
つまみ挿入溝２０につまみ１０１を挿入し、ボルト挿入孔２１に挿入したボルト５を、内筒２に組み込まれたナット６にねじ込む。ボルト５の先端がつまみ挿入溝２０へ突き出てつまみ１０１を押圧することにより、内筒２がつまみ１０１に取り付け固定される。なお、図中２２は、ナット６を挿入するためのナット挿入孔である。
【００２２】
カバー３との対向位置である内筒２の前面２Ｂには、内周面沿いに凸部８０と凹部８１（以下、凸部と凹部とを総称して「凹凸」ということがある。）とが交互に等配列された第２の噛合部８が凹設されている。第２の噛合部８は、後述するカバー３の内面に突設された第１の噛合部７の凸部７０および凹部７１と係合するように、凸部８０および凹部８１がそれぞれ形成されている。図示例では、各凸部８０は頂部が尖った据拡がりの形状に、各凹部８１は底部から開口に向けて拡がった形状に、それぞれ形成されている。第１の噛合部７の凹凸と第２の噛合部８の凹凸とが係合したとき、内筒２とカバー３が結合して一体回動が可能になる。
さらに、内筒２の前面２Ｂには、前記コイルバネ４を嵌装するための環状溝２３が形成されている。
【００２３】
また、内筒２の外周面には、次に説明するカバー３の各掛止爪３０が引っ掛かる係合段部２４が一周形成されている。
【００２４】
前記カバー３は、図９および図１０に示すように、例えば合成樹脂により形成される一面が開放された筒状のカバーである。カバー３には４個の掛止爪３０が一定間隔毎（９０度等角の位置）に一体形成されている。各掛止爪３０は、カバー３の開放端に達する２本の切込み３０ａ，３０ｂにより形成されており、その先端部３０ｃが前記係合段部２４に引っ掛かるように内側に向けて鉤状に曲げられている。図２に示すように、各掛止爪３０の先端部３０ｃを内筒２の係合段部２４に引っ掛け、各掛止爪３０で内筒２を挟んだ状態とすることにより、カバー３は内筒２上に中心線ｃを回軸中心として回動自由かつ長さ方向へ往復動自由（図２において、矢印ｐ，ｑで示す。）に被せられている。
【００２５】
カバー３の内面には、外周面沿いに凸部７０および凹部７１が交互に等配列に形成された第１の噛合部７が突設されている。この第１の噛合部７は、前記第２の噛合部８の凹部８１および凸部８０と係合するような形状に、各凸部７０および各凹部７１がそれぞれ形成されており、カバー３の往復動により第１の噛合部７と第２の噛合部８とが係脱する。
【００２６】
第１の噛合部７は、カバー３の開放側に向けて突出する円柱状のガイド部７２を備えている。ガイド部７２は、前記第２の噛合部８内に進入することにより第１の噛合部７と第２の噛合部８とが係合する位置に第１の噛合部７を保持するためのものである。ガイド部７２は、第２の噛合部８の各凸部８０に内接するように、その外径が設定されている。
【００２７】
カバー３は、通常時は、第１の噛合部７と第２の噛合部８とが噛み合わないようにコイルバネ４により付勢されている。カバー３がコイルバネ４の付勢力に抗して内筒２に向かって押し込まれ、カバー３の第１の噛合部７の凹凸と内筒２の第２の噛合部８の凹凸とが係合したとき、カバー３と内筒２とが結合して一体回動が可能となる。これに対して、カバー３が内筒２から離れてカバー３の第１の噛合部７の凹凸と内筒２の第２の噛合部８の凹凸との係合が外れたとき、カバー３は内筒２との係わりが切れ、単独で回動自由となる。
【００２８】
図１１は、この発明の他の実施例である不正解錠防止装置１の外観を示している。また、図１２は、この不正解錠防止装置１の内部構造を示している。
【００２９】
図示例の不正解錠防止装置１は、つまみ１０１上に被さるようにつまみ１０１に一体固定される内筒２と、内筒２とつまみ１０１を回動可能に支持するベース部１０２との間に介装されるリング状の止め板９と、内筒２上に回動自由に被せられる筒状のカバー３と、カバー３の上面に開放された長さ方向に貫通する支持孔３１に往復動自由に支持される押釦１０とから成る。内筒２と押釦１０との間にはコイルバネ４が設けられている。
【００３０】
コイルバネ４は、後述する第１の噛合部７および第２の噛合部８の外径よりも大きく内筒２の外径よりも小さい圧縮型のバネである。このコイルバネ４は、第１の噛合部７の凹凸と第２の噛合部８の凹凸との係合が外れる方向（内筒２から離れる方向）に押釦１０を付勢しており、押釦１０は、コイルバネ４の付勢力に抗して内筒２に向かって押し込み操作が可能であるように構成されている。
【００３１】
前記リング状の止め板９は、例えば合成樹脂により形成されており、図１３〜図１５に示すように、円環状のフランジ部９０と、このフランジ部９０の外周の９０度等角の位置に形成された４個の係合爪９１とから成る。各係合爪９１は、その先端部が外側に向けて鉤状に曲げられている。この止め板９は、扉用錠１００のつまみ１０１を囲むように位置している。
【００３２】
前記内筒２は、図１６〜図２１に示すように、円筒形状であり、例えば合成樹脂により形成される。内筒２の底面２Ａには、扉用錠１００のつまみ１０１の外形に適合する形状および大きさのつまみ挿入溝２０が径に沿って形成されている。また、内筒２の外周面はその一部が切り欠かれており、径方向に前記つまみ挿入溝２０に通じるボルト挿入孔２１が形成されている。このボルト挿入孔２１にはボルト５が挿入される
【００３３】
内筒２の外周面には、９０度等角の位置にそれぞればね板部２５が一体形成されている。各ばね板部２５は径方向に弾性変形することが可能であり、その先端部には、前記止め板９のフランジ部９０に係合して止め板９の抜けを阻止する抜止め突部２５ａが形成されている。各抜止め突部２５ａがフランジ部９０に引っ掛かるので、止め板９は内筒２と扉用錠１００のベース部１０２との間に回動自由の状態で位置する。
【００３４】
前記止め板９を扉用錠１００のつまみ１０１の外周に配置した後、内筒２を止め板９内へ挿入した状態でつまみ１０１に内筒２を装着する。内筒２のつまみ挿入溝２０につまみ１０１を挿入し、ボルト挿入孔２１に挿入したボルト５を、内筒２に組み込まれたナット６にねじ込むと、ボルト５の先端がつまみ挿入溝２０へ突き出てつまみ１０１を押圧する。これにより、止め板９が内筒２上に回動自由に支持された状態で、内筒２がつまみ１０１に取り付け固定される。なお、図中２２は、ナット６を挿入するための挿入孔である。
【００３５】
押釦１０との対向位置である内筒２の前面２Ｂには、外周面沿いに凸部７０と凹部７１とが交互に等配列された第１の噛合部７が突設されている。この第１の噛合部７は、後述する押釦１０の内面に凹設された第２の噛合部８の凹部８１および凸部８０と係合するように、凸部７０および凹部７１がそれぞれ形成されている。第１の噛合部７の凹凸と第２の噛合部８の凹凸とが係合したとき、内筒２とカバー３が結合して一体回動が可能になる。なお、凸部８０および凹部８１の形状は第１実施例と同様であり、説明を省略する。
【００３６】
カバー３は、図２２および図２３に示すように、例えば合成樹脂により形成される一面が開放された筒状のカバーである。カバー３の外周面には、開放部寄りの９０度等角の位置に、それぞれ係合孔３２が形成されている。前記止め板９に設けられた各係合爪９１の鉤状の先端部を前記係合孔３２に係入させることにより、カバー３は内筒２上に回動自由に被せられている。
【００３７】
また、カバー３は、長さ方向に貫通する支持孔３１を有し、支持孔３１の内周面には、９０度等角の位置にそれぞれガイドと回止めのための突起部３３が形成されている。
【００３８】
前記押釦１０は、例えば合成樹脂により形成されており、図２４および図２５に示すように、操作部１１がガイド板１２と一体に形成されている。ガイド板１２の外周面には、９０度等角の位置にそれぞれガイド溝１３が形成されている。押釦１０は、操作部１１が前記カバー３の支持孔３１に支持されるとともに、ガイド板１２のガイド溝１３に前記突起部３３を係合するすることで、内筒２に対して往復動自由になっている。
【００３９】
押釦１０の下面には、図２６に示すように、内周面沿いに凸部８０および凹部８１が交互に等配列に形成された第２の噛合部８が凹設されている。この第２の噛合部８は、前記第１の噛合部７の凹部７１および凸部７０と係合するような形状に、各凸部８０および各凹部８１がそれぞれ形成されており、押釦１０の往復動により第１の噛合部７と第２の噛合部８とが係脱する。
【００４０】
押釦１０は、通常時は、第１の噛合部７と第２の噛合部８とが噛み合わないようにコイルバネ４により付勢されている。コイルバネ４の付勢力に抗して押釦１０が内筒２に向かって押し込まれ、押釦１０の第２の噛合部８の凹凸と内筒２の第１の噛合部７の凹凸とが係合したとき、カバー３と内筒２とが結合して一体回動が可能となる。これに対して、押釦１０が内筒２から離れて押釦１０の第２の噛合部８の凹凸と内筒２の第１の噛合部７の凹凸との係合が外れたとき、カバー３は内筒２との係わりが切れ、単独で回動自由となる。
【００４１】
上記した構成の不正解錠防止装置１において、図２および図３で示した第１実施例では、扉用錠１００のつまみ１０１がカバー３によって覆われているので、つまみ１０１に針金などを引っ掛けることができない。さらに、通常時は、コイルバネ４の付勢力により第１の噛合部７の凹凸と第２の噛合部８の凹凸とが係合しないようにしてあるので、室外からカバー３に針金などを引っ掛けてつまみ１０１を回動しようとしても、カバー３は内筒２に対して空転し、つまみ１０１にはカバー３の回動は作用しないため、室外からの不正な解錠操作が防止される。
【００４２】
日常の扉の開閉に際して、コイルバネ４の付勢力に抗してカバー３を内筒２に向かって押し込むと、第１の噛合部７の凹凸と第２の噛合部８の凹凸とが係合する。この状態で、カバー３を施錠または解錠方向に回動させると、カバー３と内筒２とが一体に回動するので、内筒２とともにつまみ１０１が施錠または解錠方向に回動し、扉用錠１００が施錠および解錠される。
【００４３】
つぎに、図１２で示した第２実施例においても、扉用錠１００のつまみ１０１がカバー３によって覆われているので、つまみ１０１に針金などを引っ掛けることができない。さらに、通常時は、コイルバネ４の付勢力により前記第１の噛合部７の凹凸と第２の噛合部８の凹凸とが係合しないようにしてあるので、室外からカバー３に針金などを引っ掛けてつまみ１０１を回動しようとしても、カバー３は内筒２に対して空回りし、つまみ１０１にはカバー３の回動は作用しないため、室外からの不正な解錠操作が防止される。
【００４４】
日常の扉の開閉に際して、コイルバネ４の付勢力に抗して押釦１０を内筒２に向かって押し込むと、第１の噛合部７の凹凸と第２の噛合部８の凹凸とが係合する。この状態で、カバー３を施錠または解錠方向に回動させると、カバー３と内筒２とが一体に回動するので、内筒２とともにつまみ１０１が施錠または解錠方向に回動し、扉用錠１００が解錠および施錠される。
【００４５】
さらに、第２実施例については、カバー３に設けられた押釦１０の押し込み操作により第１の噛合部７と第２の噛合部８とを係合させるので、室外側からの押釦１０の押し込み操作は容易でないことから、不正な解錠操作は一層難しくなる。
【図面の簡単な説明】
【００４６】
【図１】この発明の一実施例である不正解錠防止装置の構成を示す分解斜視図である。
【図２】図１のＡ−Ａ線に沿う不正解錠防止装置の断面図である。
【図３】図１のＢ−Ｂ線に沿う不正解錠防止装置の断面図である。
【図４】内筒の平面図である。
【図５】内筒の側面図である。
【図６】内筒の底面図である。
【図７】図４のＣ−Ｃ線に沿う断面図である。
【図８】図４のＤ−Ｄ線に沿う断面図である。
【図９】カバーの側面図である。
【図１０】カバーの底面図である。
【図１１】この発明の他の実施例である不正解錠防止装置の外観を示す側面図である。
【図１２】図１１の実施例の断面図である。
【図１３】止め板の平面図である。
【図１４】止め板の側面図である。
【図１５】止め板の底面図である。
【図１６】内筒の平面図である。
【図１７】内筒の側面図である。
【図１８】内筒の底面図である。
【図１９】図１６のＥ−Ｅ線に沿う断面図である。
【図２０】図１６のＦ−Ｆ線に沿う断面図である。
【図２１】図１８のＧ−Ｇ線に沿う断面図である。
【図２２】カバーの断面図である。
【図２３】カバーの底面図である。
【図２４】押釦の平面図である。
【図２５】押釦の側面図である。
【図２６】押釦の底面図である。
【符号の説明】
【００４７】
１    不正解錠防止装置
２    内筒
３    カバー
４    コイルバネ
７    第１の噛合部
８    第２の噛合部
１０  押釦
１００  扉用錠
１０１  つまみ
【図１】
2008007963.tif 000003
【図２】
2008007963.tif 000004
【図３】
2008007963.tif 000005
【図４】
2008007963.tif 000006
【図５】
2008007963.tif 000007
【図６】
2008007963.tif 000008
【図７】
2008007963.tif 000009
【図８】
2008007963.tif 000010
【図９】
2008007963.tif 000011
【図１０】
2008007963.tif 000012
【図１１】
2008007963.tif 000013
【図１２】
2008007963.tif 000014
【図１３】
2008007963.tif 000015
【図１４】
2008007963.tif 000016
【図１５】
2008007963.tif 000017
【図１６】
2008007963.tif 000018
【図１７】
2008007963.tif 000019
【図１８】
2008007963.tif 000020
【図１９】
2008007963.tif 000021
【図２０】
2008007963.tif 000022
【図２１】
2008007963.tif 000023
【図２２】
2008007963.tif 000024
【図２３】
2008007963.tif 000025
【図２４】
2008007963.tif 000026
【図２５】
2008007963.tif 000027
【図２６】
2008007963.tif 000028